(57)【特許請求の範囲】
【請求項１】
物体側から像側へ順に配置された、ズーミングのためには移動しない正の屈折力の第１レンズ群と、ズーミングのために移動する負の屈折力の第２レンズ群と、ズーミングのために移動する１群以上のレンズ群と、ズーミングのためには移動しない最も像側の最終レンズ群Ｕｒと、前記第２レンズ群よりも像側に配置された開口絞りと、から構成されるズームレンズであって、
前記第２レンズ群を構成する正レンズのアッベ数の平均値及び前記第２レンズ群を構成する負レンズのアッベ数の平均値をそれぞれνｄ２ｐ及びνｄ２ｎとし、前記正レンズの部分分散比の平均値及び前記負レンズの部分分散比の平均値をそれぞれθｇＦ２ｐ及びθｇＦ２ｎとし、前記最終レンズ群Ｕｒを構成する負レンズの中で最もアッべ数の小さいレンズＬｒｎ１の異常分散性をΔθｇＦｒｎ１とし、前記ズームレンズを構成する最も物体側のレンズ面の頂点から前記ズームレンズを構成する最も像側のレンズ面の頂点までの光軸上の距離をＴＤとし、広角端での前記開口絞りから前記負レンズＬｒｎ１までの光軸上の距離をＤｒｎ１とし、望遠端での前記ズームレンズの焦点距離をｆｔとし、前記第１レンズ群の焦点距離をｆ１として、
−２．００×１０-3＜（θｇＦ２ｐ−θｇＦ２ｎ）／（νｄ２ｐ−νｄ２ｎ）
＜−０．８０×１０-3
０．０１８０＜ΔθｇＦｒｎ１＜０．０７０
０．１０＜Ｄｒｎ１／ＴＤ＜０．４０
２．０＜ｆｔ／ｆ１＜５．５
なる条件式を満足することを特徴とするズームレンズ。
但し、アッべ数νｄは、Ｆ線における屈折率をＮＦとし、ｄ線における屈折率をＮｄとし、Ｃ線における屈折率をＮＣとして、
νｄ＝（Ｎｄ−１）／（ＮＦ−ＮＣ）
なる式で表され、
部分分散比θｇＦは、ｇ線における屈折率をＮｇとして、
θｇＦ＝（Ｎｇ−ＮＦ）／（ＮＦ−ＮＣ）
なる式で表され、
異常分散性ΔθｇＦは、部分分散比θｇＦとアッべ数νｄとを用いて、
ΔθｇＦ＝θｇＦ−（−１．６２２０×１０-3×νｄ＋０．６４１６）
なる式で表わされるものとする。
【請求項２】
物体側から像側へ順に配置された、ズーミングのためには移動しない正の屈折力の第１レンズ群と、ズーミングのために移動する負の屈折力の第２レンズ群と、ズーミングのために移動する１群以上のレンズ群と、ズーミングのためには移動しない最も像側の最終レンズ群Ｕｒと、前記第２レンズ群よりも像側に配置された開口絞りと、から構成されるズームレンズであって、
前記第２レンズ群を構成する正レンズのアッベ数の平均値及び前記第２レンズ群を構成する負レンズのアッベ数の平均値をそれぞれνｄ２ｐ及びνｄ２ｎとし、前記正レンズの部分分散比の平均値及び前記負レンズの部分分散比の平均値をそれぞれθｇＦ２ｐ及びθｇＦ２ｎとし、前記最終レンズ群Ｕｒを構成する負レンズの中で最もアッべ数の小さいレンズＬｒｎ１の異常分散性をΔθｇＦｒｎ１とし、前記ズームレンズを構成する最も物体側のレンズ面の頂点から前記ズームレンズを構成する最も像側のレンズ面の頂点までの光軸上の距離をＴＤとし、広角端での前記開口絞りから前記負レンズＬｒｎ１までの光軸上の距離をＤｒｎ１とし、前記第１レンズ群の焦点距離をｆ１とし、前記第２レンズ群の焦点距離をｆ２とし、前記レンズＬｒｎ１のアッべ数をνｄｒｎ１とし、前記レンズＬｒｎ１の部分分散比をθｇＦｒｎ１とし、前記最終レンズ群Ｕｒを構成し且つ前記レンズＬｒｎ１と接合されている１枚の正レンズのアッべ数をνｄｒｐ１とし、前記１枚の正レンズの部分分散比をθｇＦｒｐ１として、
−２．００×１０-3＜（θｇＦ２ｐ−θｇＦ２ｎ）／（νｄ２ｐ−νｄ２ｎ）
＜−０．８０×１０-3
０．０１８０＜ΔθｇＦｒｎ１＜０．０７０
０．１０＜Ｄｒｎ１／ＴＤ＜０．４０
−８．４０×１０-3
＜（θｇＦｒｐ１−θｇＦｒｎ１）／（νｄｒｐ１−νｄｒｎ１）
＜−３．５０×１０-3
なる条件式を満足することを特徴とするズームレンズ。
但し、アッべ数νｄは、Ｆ線における屈折率をＮＦとし、ｄ線における屈折率をＮｄとし、Ｃ線における屈折率をＮＣとして、
νｄ＝（Ｎｄ−１）／（ＮＦ−ＮＣ）
なる式で表され、
部分分散比θｇＦは、ｇ線における屈折率をＮｇとして、
θｇＦ＝（Ｎｇ−ＮＦ）／（ＮＦ−ＮＣ）
なる式で表され、
異常分散性ΔθｇＦは、部分分散比θｇＦとアッべ数νｄとを用いて、
ΔθｇＦ＝θｇＦ−（−１．６２２０×１０-3×νｄ＋０．６４１６）
なる式で表わされるものとする。
【請求項３】
前記レンズＬｒｎ１の部分分散比をθｇＦｒｎ１として、
０．６２＜θｇＦｒｎ１＜０．７０
なる条件式を満足することを特徴とする請求項１または２に記載のズームレンズ。
【請求項４】
前記第１レンズ群を構成する正レンズのアッベ数の平均値及び部分分散比の平均値をそれぞれν１ｐ及びθｇＦ１ｐとし、前記第１レンズ群を構成する負レンズのアッベ数の平均値及び部分分散比の平均値をそれぞれν１ｎ及びθｇＦ１ｎとして、
−７．０×１０-4＜（θｇＦ１ｐ−θｇＦ１ｎ）／（ν１ｐ−ν１ｎ）
＜−２．０×１０-4
なる条件式を満足することを特徴とする請求項１ないし３のうちいずれか１項に記載のズームレンズ。
【請求項５】
前記第１レンズ群の焦点距離をｆ１とし、前記第２レンズ群の焦点距離をｆ２として、
−８．５０＜ｆ１／ｆ２＜−４．００
なる条件式を満足することを特徴とする請求項１乃至４のうちいずれか１項に記載のズームレンズ。
【請求項６】
前記ズームレンズの望遠端における焦点距離をｆｔ、前記第１レンズ群の焦点距離をｆ１とするとき、
２．０＜ｆｔ／ｆ１＜５．５
なる条件を満足することを特徴とする請求項２乃至５のうちいずれか１項に記載のズームレンズ。
【請求項７】
前記レンズＬｒｎ１のアッべ数をνｄｒｎ１として、
１４＜νｄｒｎ１＜２４
なる条件式を満足することを特徴とする請求項１乃至６のうちいずれか１項に記載のズームレンズ。
【請求項８】
前記レンズＬｒｎ１は、前記最終レンズ群Ｕｒを構成する１枚の正レンズと接合されており、
前記レンズＬｒｎ１のアッべ数をνｄｒｎ１とし、前記レンズＬｒｎ１の部分分散比をθｇＦｒｎ１とし、前記１枚の正レンズのアッべ数をνｄｒｐ１とし、前記１枚の正レンズの部分分散比をθｇＦｒｐ１として、
−８．４０×１０-3
＜（θｇＦｒｐ１−θｇＦｒｎ１）／（νｄｒｐ１−νｄｒｎ１）
＜−３．５０×１０-3
なる条件式を満足することを特徴とする請求項１、３乃至７のうちいずれか１項に記載のズームレンズ。
【請求項９】
請求項１乃至８のうちいずれか１項に記載のズームレンズと、
前記ズームレンズによって形成された像を受ける撮像素子と、
を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ等に好適なものである。
【背景技術】
【０００２】
近年、テレビカメラや映画用カメラ、ビデオカメラ、写真用カメラ等の撮像装置には、映像表現の拡大のため浅い被写界深度や美しいボケ味を特徴とする大判カメラが用いられている。大判カメラに装着するズームレンズとして、機動性の確保と撮影自由度の向上のため、小型軽量で高変倍比のズームレンズが要望されている。加えて、カメラの撮像素子に画素数の多い撮像素子が用いられるようになり、ズームレンズには高精細化に対応する、高い性能が求められている。高変倍比のズームレンズとして、特許文献１、２で提案されているように最も物体側に正の屈折力の群を配置し、全体として４つ以上の群により構成されるポジティブリード型のズームレンズが知られている。
【０００３】
特許文献１では、４群より構成されるズームレンズで、望遠端画角が０．７度程度、ズーム比が１５倍程度のズームレンズが提案されている。
【０００４】
特許文献２では、４群より構成されるズームレンズで、望遠端画角が１．６度程度でズーム比が３倍程度のズームレンズが提案されている。
【先行技術文献】
【特許文献】
【０００５】
【特許文献１】特開２００７−１３９８５８号公報
【特許文献２】特開２００４−０８５８４６号公報
【発明の概要】
【発明が解決しようとする課題】
【０００６】
ズームレンズの高変倍比化に際して問題となるのが、ズームに伴う諸収差の変動が増加することである。特に倍率色収差のズーム変動が増加すると、倍率色収差をズーム全域で良好に補正することが困難となり、高精彩な映像を得ることが困難となる。
【０００７】
特許文献１及び特許文献２のズームレンズに対し、大判センサに対応しつつ、高変倍比化を行う際の課題として、高変倍比化に伴い倍率色収差のズーム変動が増加するため、倍率色収差をズーム全域で良好に補正することが困難である。
【０００８】
高変倍比化を図りつつ、全ズーム域で良好に倍率色収差を補正するためには、第２レンズ群のレンズ構成を工夫し、倍率色収差のズーム変動を抑制しつつ、最も像側のレンズ群の構成を工夫し、広角端の倍率色収差を調節することが重要となる。
【０００９】
本発明は、例えば、大判センサへの対応、高変倍比、及びズーム全域での倍率色収差の補正の点で有利なズームレンズを得ることを目的とする。
【課題を解決するための手段】
【００１０】
上記目的を達成するために、本発明のズームレンズは、物体側から像側へ順に配置された、ズーミングのためには移動しない正の屈折力の第１レンズ群と、ズーミングのために移動する負の屈折力の第２レンズ群と、ズーミングに際して移動する１群以上のレンズ群と、ズーミングのためには移動しない最も像側の最終レンズ群Ｕｒと、前記第２レンズ群よりも像側に配置された開口絞りと、から構成されるズームレンズであって、
前記第２レンズ群を構成する正レンズのアッベ数の平均値及び前記第２レンズ群を構成する負レンズのアッベ数の平均値をそれぞれνｄ２ｐ及びνｄ２ｎとし、前記第正レンズの部分分散比の平均値及び前記負レンズの部分分散比の平均値をそれぞれθｇＦ２ｐ及びθｇＦ２ｎとし、前記最終レンズ群Ｕｒを構成する負レンズの中で最もアッべ数の小さいレンズＬｒｎ１の異常分散性をΔθｇＦｒｎ１とし、前記ズームレンズを構成する最も物体側のレンズ面の頂点から前記ズームレンズを構成する最も像側のレンズ面の頂点までの光軸上の距離をＴＤとし、広角端での前記開口絞りから前記負レンズＬｒｎ１までの光軸上の距離をＤｒｎ１とし、望遠端での前記ズームレンズの焦点距離をｆｔとし、前記第１レンズ群の焦点距離をｆ１として、
−２．００×１０-3＜（θｇＦ２ｐ−θｇＦ２ｎ）／（νｄ２ｐ−νｄ２ｎ）
＜−０．８０×１０-3
０．０１８０＜ΔθｇＦｒｎ１＜０．０７０
０．１０＜Ｄｒｎ１／ＴＤ＜０．４０
２．０＜ｆｔ／ｆ１＜５．５
なる条件式を満足することを特徴とするズームレンズ。
但し、アッべ数νｄはＦ線における屈折率をＮＦとし、ｄ線における屈折率をＮｄとし、Ｃ線における屈折率をＮＣとして、
νｄ＝（Ｎｄ−１）／（ＮＦ−ＮＣ）
なる式で表され、
【００１１】
部分分散比θｇＦはｇ線における屈折率をＮｇとして、
θｇＦ＝（Ｎｇ−ＮＦ）／（ＮＦ−ＮＣ）
なる式で表され、
異常分散性ΔθｇＦは部分分散比θｇＦと、アッべ数νｄとを用いて
ΔθｇＦ＝θｇＦ−（−１．６２２０×１０-3×νｄ＋０．６４１６）
なる式で表わされるものとする。
【発明の効果】
【００１２】
本発明によれば、例えば、大判センサへの対応、高変倍比、及びズーム全域での倍率色収差の補正の点で有利なズームレンズが得られる。
【図面の簡単な説明】
【００１３】
【図１】実施例１のズームレンズの無限遠フォーカス時の広角端におけるレンズ断面図である。
【図２】実施例１のズームレンズの広角端状態・無限遠フォーカス時（Ａ）、焦点距離５００ｍｍ・無限遠フォーカス時（Ｂ）、望遠端状態で無限遠フォーカス時（Ｃ）の縦収差図である。
【図３】実施例２のズームレンズの無限遠フォーカス時の広角端におけるレンズ断面図である。
【図４】実施例２のズームレンズの広角端状態・無限遠フォーカス時（Ａ）、焦点距離５００ｍｍ・無限遠フォーカス時（Ｂ）、望遠端状態で無限遠フォーカス時（Ｃ）の縦収差図である。
【図５】実施例３のズームレンズの無限遠フォーカス時の広角端におけるレンズ断面図である。
【図６】実施例３のズームレンズの広角端状態・無限遠フォーカス時（Ａ）、焦点距離２００ｍｍ・無限遠フォーカス時（Ｂ）、望遠端状態で無限遠フォーカス時（Ｃ）の縦収差図である。
【図７】実施例４のズームレンズの無限遠フォーカス時の広角端におけるレンズ断面図である。
【図８】実施例４のズームレンズの広角端状態・無限遠フォーカス時（Ａ）、焦点距離５００ｍｍ・無限遠フォーカス時（Ｂ）、望遠端状態で無限遠フォーカス時（Ｃ）の縦収差図である。
【図９】実施例５のズームレンズの無限遠フォーカス時の広角端におけるレンズ断面図である。
【図１０】実施例５のズームレンズの広角端状態・無限遠フォーカス時（Ａ）、焦点距離５００ｍｍ・無限遠フォーカス時（Ｂ）、望遠端状態で無限遠フォーカス時（Ｃ）の縦収差図である。
【図１１】実施例６のズームレンズの無限遠フォーカス時の広角端におけるレンズ断面図である。
【図１２】実施例６のズームレンズの広角端状態・無限遠フォーカス時（Ａ）、焦点距離５００ｍｍ・無限遠フォーカス時（Ｂ）、望遠端状態で無限遠フォーカス時（Ｃ）の縦収差図である。
【図１３】本発明の撮像装置の要部概略図である。
【図１４】開口絞りよりも物体側の負レンズ群の倍率色収差の２色の色収差補正と２次スペクトル残存に関する模式図である。
【発明を実施するための形態】
【００１４】
以下に、本発明の実施の形態を、添付の図面に基づいて詳細に説明する。本発明のズームレンズは、物体側から像側へ順に、ズーミング変倍のためには不動の正の第１レンズ群を有する。更に、ズーミング変倍に際して移動する負の屈折力の第２レンズ群、ズーミングに際して移動するレンズ群を含む少なくとも１つのレンズ群、最も像側にズーミング変倍のためには不動の最終レンズ群Ｕｒを有する。ここでレンズ群が変倍ズーミングのためには不動というのは、レンズ群が変倍ズーミングを行う目的で駆動されることは無いが、フォーカシングのために移動することはあり得るということである。
【００１５】
各実施例のズームレンズは、第２レンズ群及び、最も像側のレンズ群のレンズ構成を適切に設定することで、大判センサに対応し、高変倍比ながら、ズーム全域で倍率色収差を良好に補正している。
【００１６】
具体的には、本発明のズームレンズは、物体側から順にズーミングのためには移動しない正の屈折力の第１レンズ群、ズーミングに際して移動する負の第２レンズ群、ズーミングに際して移動するレンズ群を含む少なくとも１つのレンズ群、最も像側に、ズーミングのためには移動しない最終レンズ群Ｕｒを有する。該ズームレンズは、第２レンズ群よりも像側に、開口絞りが配置されている。第２レンズ群を構成する正レンズ及び負レンズのアッベ数の平均値をそれぞれνｄ２ｐ、νｄ２ｎとし、第２レンズ群を構成する正レンズ及び負レンズの部分分散比の平均値をそれぞれθｇＦ２ｐ、θｇＦ２ｎとする。また、前記最も像側の最終レンズ群Ｕｒを構成する負レンズの中で、最もアッべ数の小さいレンズＬｒｎ１の異常分散性をΔθｇＦｒｎ１、ズームレンズの最も物体側のレンズ面の面頂点位置から、最も像側のレンズ面の面頂点位置までの光軸上の距離をＴＤとする。さらに、広角端における開口絞りと前記負レンズとの距離をＤｒｎ１とするとき、
−２．００×１０-3＜（θｇＦ２ｐ−θｇＦ２ｎ）／（νｄ２ｐ−νｄ２ｎ）
＜−０．８０×１０-3  ・・・（１）
０．０１８０＜ΔθｇＦｒｎ１＜０．０７０  ・・・（２）
０．１０＜Ｄｒｎ１／ＴＤ＜０．４０  ・・・（３）
なる条件を満足することを特徴としている。但し、アッべ数νｄはＦ線における屈折率をＮＦ、ｄ線における屈折率をＮｄ、Ｃ線における屈折率をＮＣとしたとき、
νｄ＝（Ｎｄ−１）／（ＮＦ−ＮＣ）
【００１７】
部分分散比θｇＦはｇ線における屈折率をＮｇとしたとき、
θｇＦ＝（Ｎｇ−ＮＦ）／（ＮＦ−ＮＣ）
異常分散性ΔθｇＦは部分分散比θｇＦと、アッべ数νｄを用いて
ΔθｇＦ＝θｇＦ−（−１．６２２０×１０-3×νｄ＋０．６４１６）
で表わされるものとする。
【００１８】
条件式（１）は、第２レンズ群を構成する正レンズ及び負レンズのアッべ数の平均値νｄ２ｐ、νｄ２ｎと、部分分散比の平均値θｇＦ２ｐ、θｇＦ２ｎの関係を規定している。
【００１９】
ここで、フラウンフォーファ線のｇ線（４３５．８ｎｍ）、Ｆ線（４８６．１ｎｍ）、ｄ線（５８７．６ｎｍ）、Ｃ線（６５６．３ｎｍ）における屈折率をそれぞれＮｇ、ＮＦ、Ｎｄ、ＮＣとすると、本発明で用いている光学素子（レンズ）の材料のアッベ数νｄ、ｇ線とＦ線に関する部分分散比θｇＦは以下の通りである。
νｄ＝（Ｎｄ−１）／（ＮＦ−ＮＣ）  ・・・（ア）
θｇＦ＝（Ｎｇ−ＮＦ）／（ＮＦ−ＮＣ）  ・・・（イ）
【００２０】
現存する光学材料は、アッベ数νｄに対して部分分散比θｇＦは狭い範囲に存在する。また、アッベ数νｄが小さいほど部分分散比θｇＦが大きい、アッベ数νｄが大きいほど屈折率が低い傾向を持っている。ここで、屈折力φ１、φ２、アッベ数ν１、ν２の２枚のレンズ１、２で構成される薄肉密着系の色収差補正条件は、
φ１／ν１＋φ２／ν２＝Ｅ  ・・・（ウ）
で表される。ここで、レンズ１、２の合成屈折力φは、
φ＝φ１＋φ２  ・・・（エ）
である。（ウ）式において、Ｅ＝０を満たすと、色収差においてＣ線とＦ線の結像位置が一致する。このとき、φ１、φ２は以下の式で表される。
φ１＝φ×ν１／（ν１−ν２）  ・・・（オ）
φ２＝φ×ν２／（ν１−ν２）  ・・・（カ）
【００２１】
図１４は物体面と開口絞りの間にある負の屈折力のレンズ群ＮＬによる倍率色収差の２色の色収差補正と２次スペクトル残存に関する模式図である。図１４のような負レンズ群ＮＬの色収差補正では、負レンズ１にアッベ数ν１の大きい材料、正レンズ２にアッベ数ν２の小さい材料を用いる。したがって、負レンズ１は部分分散比θ１が小さく、正レンズ２は部分分散比θ２が大きい。Ｃ線とＦ線で倍率色収差を補正すると、ｇ線の結像点が光軸から離れる方向にずれる。Ｃ線、Ｆ線に対するｇ線の倍率色収差のズレ量を２次スペクトル量ΔＹと定義すると、
ΔＹ＝（１／φ）×（θ１−θ２）／（ν１−ν２）  ・・・（キ）
で表される。
【００２２】
倍率色収差の２次スペクトルをズーム全域に渡り良好に補正するには、倍率色収差の変動に影響の大きい第２レンズ群での発生量を小さくする必要がある。第２レンズ群は負の屈折力を持っており、レンズ全体での倍率色収差の２次スペクトルの変動量を良好に補正するには、２次スペクトル量ΔＹを小さくするような硝材を選択する必要がある。
【００２３】
条件式（１）の条件は、ΔＹを小さくするための、第２レンズ群を構成する正レンズ及び負レンズのアッベ数及び部分分散比の関係を規定している。
【００２４】
条件式（１）の上限を超えると、倍率色収差の２次スペクトルの補正には有利だが、第２レンズ群を構成する負レンズの屈折率が低くなり、負レンズの曲率半径が小さくなる。その結果、像面湾曲やコマ収差の高次収差が増大し、良好な光学性能の達成が困難となる。条件式（１）の下限の条件が満たされないと、倍率色収差の２次スペクトルが増加し、色収差を良好に補正することが困難となる。
【００２５】
上記のように、第２レンズ群のレンズ構成を、条件式（１）を満足する構成とすることで、倍率色収差のズーム変動を小さくできる。一方で、レンズ全体の倍率色収差の２次スペクトルは、各ズームポジションでアンダー（マイナス）となるため、特に望遠端の倍率色収差が補正過剰となる。これに対し、ズームに際して固定の、最も像側のレンズ群に、部分分散比の高い負レンズを配置することで、ズーム全域の倍率色収差の２次スペクトルを一律にオーバー（プラス）にシフトすることができるため、全ズーム域で良好な倍率色収差補正を達成できる。
【００２６】
条件式（２）は、最も像側の最終レンズ群Ｕｒを構成する負レンズの中で最もアッべ数の小さいレンズＬｒｎ１の異常分散比を規定しており、倍率色収差の２次スペクトルを広角端でオーバーとするための条件を規定している。
【００２７】
条件式（２）の上限を超えると、広角端において、倍率色収差の２次スペクトルをオーバーとする効果が小さくなる。その結果、望遠端での倍率色収差の２次スペクトルが補正過剰となるため、ズーム全域で良好な画質を得ることが困難となる。逆に、条件式の下限を下回ると、広角端において、倍率色収差の２次スペクトルがオーバーとなり補正不足となるため、ズーム全域で良好な画質を得ることが困難となる。
【００２８】
条件式（３）は、最も像側の最終レンズ群Ｕｒを構成する負レンズの中で最もアッべ数の小さいレンズＬｒｎ１の開口絞りからの距離と、レンズ全厚の比を規定している。ここで、レンズ全厚とは、最も物体側のレンズ面の面頂点位置から、最も像側のレンズ面の面頂点位置までの距離である。条件式（３）を満足することで、軸上色収差の２次スペクトルを悪化させることなく、広角端の倍率色収差の２次スペクトル発生量を調節することができる。
【００２９】
条件式（３）の上限を超えると、レンズＬｒｎ１が絞りから大きく離れるため、レンズＬｒｎ１に入射する軸外光線高さが大きくなりすぎ、広角端において倍率色収差の２次スペクトルがオーバーとなり、補正不足となるため、ズーム全域で良好な画質を得ることが困難となる。条件式（３）の下限を下回ると、レンズＬｒｎ１が絞りに近い配置となり、レンズＬｒｎ１を通る軸上光線の光線高さが高くなり、軸上色収差の２次スペクトルが悪化するため、良好な画質を得ることが困難となる。
【００３０】
好ましくは条件式（１）から（３）の数値範囲を次の如く設定するのが良い。
−１．６０×１０-3＜（θｇＦ２ｐ-θｇＦ２ｎ）／（νｄ２ｐ−νｄ２ｎ）
＜−１．００×１０-3  ・・・（１ａ）
０．０２００＜ΔθｇＦｒｎ１＜０．０６４０  ・・・（２ａ）
０．１４＜Drn1／ＴＤ＜０．３４  ・・・（３ａ）
【００３１】
各実施例において更に好ましくは、次の諸条件のうち１以上を満足するのが良い。
【００３２】
更なる本発明のズームレンズの態様として、前記最も像側の最終レンズ群Ｕｒを構成する負レンズの中で、最もアッべ数の小さいレンズＬｒｎ１の部分分散比を規定している。レンズＬｒｎ１の部分分散比をθｇＦｒｎ１とするとき、下記条件式を満足することが好ましい。
０．６２＜θｇＦｒｎ１＜０．７０  ・・・（４）
【００３３】
条件式（４）を満足することで、倍率色収差の２次スペクトルを良好に補正することができる。条件式（４）の上限を超えると、倍率色収差の２次スペクトルが広角端で増加しすぎてしまい、広角端の色収差を良好に補正することが困難となる。条件式（４）の下限を下回ると、倍率色収差の２次スペクトルが望遠端で補正過剰となり、望遠端の倍率色収差を良好に補正することが困難となる。
【００３４】
更に好ましくは条件式（４）の数値範囲を次の如く設定するのが良い。
０．６３＜θｇＦｒｎ１＜０．６８  ・・・（４ａ）
【００３５】
更なる本発明のズームレンズの様態として、第１レンズ群内に使用する光学材料の部分分散比を規定している。第１レンズ群を構成する正レンズのアッベ数と部分分散比の平均値をν１ｐ、θｇＦ１ｐ、負レンズのアッベ数と部分分散比の平均値をν１ｎ、θｇＦ１ｎとしたとき、下記条件式を満足することが好ましい。
−７．０×１０-4＜（θｇＦ１ｐ−θｇＦ１ｎ）／（ν１ｐ−ν１ｎ）
＜-２．０×１０-4  ・・・（５）
【００３６】
条件式（５）は、望遠端の軸上色収差の補正と高い光学性能を達成するために規定している。
【００３７】
条件式（５）の上限を超えると、望遠端の軸上色収差の２次スペクトルの補正には有利だが、第２レンズ群を構成する正レンズの屈折率が低くなり、第２レンズ群を構成する正レンズの曲率半径が小さくなる。その結果、望遠端の球面収差の高次収差が増大し、良好な光学性能の達成が困難となる。条件式（５）の下限を下回ると、望遠端の軸上色収差の２次スペクトルが増加し、望遠端の色収差を良好に補正することが困難となる。条件式（５）の数値範囲は次の如く設定するのが、更に好ましい。
−６．３×１０-4＜（θｇＦ１ｐ−θｇＦ１ｎ）／（ν１ｐ−ν１ｎ）
＜−２．３×１０-4  ・・・（５ａ）
【００３８】
更なる本発明のズームレンズの態様として、第１レンズ群の焦点距離と第２レンズ群の焦点距離の関係を規定している。第２レンズ群の焦点距離をｆ２とするとき、下記条件式を満足することが好ましい。
−８．５０＜ｆ１／ｆ２＜−４．００  ・・・（６）
【００３９】
条件式（６）を満足することで、軸上色収差を良好に補正しながらズーミングに伴う第２レンズ群の移動量を低減し、高倍率化を達成しながらレンズ全長を短縮している。条件式（６）の上限を超えると、第２レンズ群の焦点距離が相対的に短くなり、小型化には有利であるが、ズーミングに伴う収差変動が増大する。条件式（６）の下限を下回ると、第２レンズ群の焦点距離が相対的に長くなるため、ズーミングによる第２レンズ群の移動量が増大して全系が大型化し、小型軽量化が困難となる。
【００４０】
更に好ましくは条件式（６）の数値範囲を次の如く設定するのが良い。
−７．８０＜ｆ１／ｆ２＜−４．８０  ・・・（６ａ）
【００４１】
更なる本発明のズームレンズの態様として、望遠端の焦点距離と、第１レンズ群の焦点距離との関係を規定している。望遠端の焦点距離をｆｔとするとき、下記条件式を満足することが好ましい。
２.０＜ｆｔ／ｆ１＜５．５  ・・・（７）
【００４２】
条件式（７）を満足することで、高変倍比化を達成しながら、軸上色収差を良好に補正している。条件式（７）の上限を超えると、ズームレンズ全系の小型化には有利であるが、望遠端における光学性能、特に軸上色収差を良好に補正することが困難となってくる。条件式（７）の下限を下回ると、第１レンズ群の焦点距離が増大して、１０倍以上の高変倍比化とズームレンズ全系の小型化を図ることが困難となってくる。
【００４３】
更に好ましくは条件式（７）の数値範囲を次の如く設定するのが良い。
２．２＜ｆｔ／ｆ１＜５．０  ・・・（７ａ）
【００４４】
更なる本発明のズームレンズの態様として、最も像側の最終レンズ群Ｕｒを構成する負レンズの中で最もアッべ数の小さいレンズＬｒｎ１のアッべ数を規定しており、部分分散比の高い硝材を使用するための条件を規定している。レンズＬｒｎ１のアッべ数νｄｒｎ１は、下記条件式を満足することが好ましい。
１４＜νｄｒｎ１＜２４  ・・・（８）
【００４５】
条件式（８）の上限を超えると、広角端において、倍率色収差の２次スペクトルをオーバーとする効果が小さくなる。その結果、望遠端での倍率色収差の２次スペクトルが補正過剰となるため、ズーム全域で良好な画質を得ることが困難となる。逆に、条件式の下限を下回ると、広角端において、倍率色収差の２次スペクトルがオーバーとなり補正不足となるため、ズーム全域で良好な画質を得ることが困難となる。
【００４６】
更に好ましくは条件式（８）の数値範囲を次の如く設定するのが良い。
１５＜νｄｒｎ１＜２３  ・・・（８ａ）
【００４７】
更なる本発明のズームレンズの態様として、最も像側の最終レンズ群Ｕｒを構成する負レンズの中で最もアッべ数の小さいレンズＬｒｎ１が、１枚の正レンズと接合されており、該負レンズと正レンズの部分分散比の関係を規定している。該正レンズのアッべ数をνｄｒｐ１、部分分散比をθｇＦｒｐ１とするとき、下記条件式（９）を満足することが好ましい。
−８．４０×１０-3
＜（θｇＦｒｐ１−θｇＦｒｎ１）／（νｄｒｐ１−νｄｒｎ１）
＜-３．５０×１０-3  ・・・（９）
【００４８】
条件式（９）の上限を超えると、広角端において、倍率色収差の２次スペクトルをオーバーとする効果が小さくなる。その結果、望遠端での倍率色収差の２次スペクトルが補正過剰となるため、ズーム全域で良好な画質を得ることが困難となる。逆に、条件式の下限を下回ると、広角端において、倍率色収差の２次スペクトルがオーバーとなり補正不足となるため、ズーム全域で良好な画質を得ることが困難となる。
【００４９】
更に好ましくは条件式（９）の数値範囲を次の如く設定するのが良い。
−８．００×１０-3
＜（θｇＦｒｐ１−θｇＦｒｎ１）／（νｄｒｐ１−νｄｒｎ１）
＜-３．７０×１０-3  ・・・（９ａ）
【００５０】
以下に、本発明のズームレンズの具体的な構成について、実施例とそれに対応する数値実施例のレンズ構成を説明する。
【実施例１】
【００５１】
図１は、本発明の実施例１としての数値実施例１の広角端（短焦点距離端）で、無限遠物体にフォーカスしているときのレンズ断面図である。図２は、広角端で無限遠フォーカス時（Ａ）、焦点距離５００ｍｍのズーム位置で無限遠フォーカス時（Ｂ）、望遠端で無限遠フォーカス時（Ｃ）の収差図である。各レンズ断面図において、左方が被写体（物体）側（前方）で、右方が像側（後方）である。Ｌ１は不動の正の第１レンズ群である。Ｌ１は物体側から順に正のＬ１１、正のＬ１２のサブユニットからなる。正のＬ１２群を光軸方向に移動させることでフォーカス調整を行う。Ｌ２はズーミングに際し移動する負の屈折力の第２レンズ群であり、光軸上を像面側へ移動させることにより、広角端から望遠端へのズーミングを行っている。Ｌ３はズーミングに際し移動する第３レンズ群であり、広角端から望遠端にかけて、光軸上を移動する。Ｌ４は固定群であり、正の第４群（リレー群）である。第４レンズ群は物体側から順に正のＬ４１、正のＬ４２のサブユニットから成り、Ｌ４１とＬ４２の間には、固定の開口絞りＳＰが配置される。第４レンズ群Ｌ４内には、焦点距離変換用のコンバータ（エクステンダ）等が装着されても良い。Ｉは像面であり、固体撮像素子やフィルム面といった撮像面に相当する。
【００５２】
各収差図において、球面収差における実線、二点鎖線はそれぞれｅ線、ｇ線である。非点収差における実線と一点鎖線はそれぞれサジタル像面（ΔＳ）、メリディオナル像面（ΔＭ）であり、倍率色収差における二点鎖線はそれぞれｇ線である。非点収差および倍率色収差は、絞り位置における光束の中心を通る光線を主光線としたときの収差量を示している。ωは近軸での半画角、ＦｎｏはＦナンバーである。縦収差図では、球面収差は０．５ｍｍ、非点収差は０．５ｍｍ、歪曲は５％、倍率色収差は０．０５ｍｍのスケールで描かれている。尚、以下の各実施例において広角端と望遠端は第２レンズ群が機構上、光軸上を移動可能な範囲の両端に位置したときのズーミング位置をいう。これらレンズ断面図と収差図に関する説明は、以降の実施例においても、特に記載の無い限り全て同じである。
【００５３】
実施例１としての数値実施例１における第１群から第４群について説明する。第１レンズ群Ｌ１は、数値実施例１において第１レンズ面〜第８レンズ面に対応するＬ１１と、第９レンズ面〜第１２レンズ面に対応するＬ１２のサブユニットで構成されている。正のＬ１１群は物体側から順に正レンズ、負レンズ、正レンズ、負レンズにて構成されている。正のＬ１２群は２枚の正レンズにて構成されており、第１２レンズ群を光軸方向に移動させることでフォーカス調整を行う。第２レンズ群Ｌ２は、数値実施例１において第１３レンズ面〜第２１レンズ面に対応し、物体側から順に、負レンズ、負レンズと正レンズから成る接合正レンズ、負レンズと正レンズで構成されている。第３レンズ群Ｌ３は、数値実施例１において第２２レンズ面〜第２４レンズ面に対応し、物体側から順に負レンズと正レンズから成る接合負レンズで構成されている。第４レンズ群Ｌ４は、数値実施例１において第２５レンズ面〜第２８レンズ面に対応するＬ４１と、第３０レンズ面〜第４５レンズ面に対応するＬ４２のサブユニットで構成されている。Ｌ４１は、２枚のレンズで構成されている。Ｌ４２は、物体側から順に接合負レンズ、正レンズ、接合負レンズ、正レンズ、接合正レンズ、接合負レンズで構成される。非球面は第１３レンズ面と第２６レンズ面に用いられている。第１３レンズ面の非球面は像面湾曲のズームによる変動や望遠側の球面収差の変動を補正している。第２６レンズ面の非球面は、広角側の球面収差のズーム変動と、コマ収差の画角変動を抑制している。
【００５４】
本実施例の各条件式対応値を表１に示す。本数値実施例はいずれの条件式も満足しており、良好な光学性能を達成している。加えて、ズーム比１８倍と、高変倍比であり、焦点距離と半画角の積で求まる最大像高が１５．９ｍｍと、大判センサにも対応している。
【実施例２】
【００５５】
実施例２としての数値実施例２における第１群から第５群について説明する。第１レンズ群Ｌ１は、数値実施例２において第１レンズ面〜第６レンズ面に対応するＬ１１と、第７レンズ面〜第１１レンズ面に対応するＬ１２と、第１２レンズ面〜第１４レンズ面に対応するＬ１３のサブユニットで構成されている。正のＬ１１群は物体側から順に２枚の正レンズ、負レンズにて構成されている。正のＬ１２群は正レンズと、正レンズと負レンズから成る接合レンズにて構成されており、第１２レンズ群を光軸方向に移動させることでフォーカス調整を行う。負のＬ１３群は、正レンズと負レンズから成る接合レンズにて構成されている。第２レンズ群Ｌ２は、数値実施例２において第１５レンズ面〜第２５レンズ面に対応し、物体側から順に、負レンズ、正レンズと負レンズから成る接合正レンズ、負レンズ、正レンズ、負レンズで構成されている。第３レンズ群Ｌ３は、数値実施例２において第２６レンズ面〜第３１レンズ面に対応し、物体側から順に正レンズ、負レンズ、正レンズで構成されている。第４レンズ群Ｌ４は、数値実施例２において第３２レンズ面〜第３７レンズ面に対応し、物体側から順に正レンズ、負レンズと正レンズから成る接合レンズで構成されている。第５レンズ群Ｌ５は、数値実施例２において第３８レンズ面〜第５２レンズ面に対応し、物体側から順に負レンズ、正レンズ、負レンズ、正レンズと２つの接合レンズにて構成されている。非球面は第１５面、第２９面、第３２面に用いられており、広角側の球面収差のズーム変動と、コマ収差の画角変動を抑制している。
【００５６】
本実施例の各条件式対応値を表１に示す。本数値実施例はいずれの条件式も満足しており、良好な光学性能を達成している。加えて、ズーム比２５倍と高変倍比であり、焦点距離と半画角の積で求まる最大像高が１４．５０ｍｍと、大判センサに対応している。
【実施例３】
【００５７】
実施例３としての数値実施例３における第１群から第５群について説明する。第１レンズ群Ｌ１は、数値実施例３において第１レンズ面〜第４レンズ面に対応するＬ１１と、第５レンズ面〜第９レンズ面に対応するＬ１２と、第１０レンズ面〜第１２レンズ面に対応するＬ１３のサブユニットで構成されている。正のＬ１１群は物体側から順に正レンズ、負レンズにて構成されている。正のＬ１２群は正レンズと、正レンズと負レンズから成る接合レンズにて構成されており、第１２レンズ群を光軸方向に移動させることでフォーカス調整を行う。負のＬ１３群は、正レンズと負レンズから成る接合レンズにて構成されている。第２レンズ群Ｌ２は、数値実施例３において第１３レンズ面〜第２３レンズ面に対応し、物体側から順に、２枚の負レンズ、正レンズと負レンズから成る接合正レンズ、正レンズと負レンズで構成されている。第３レンズ群Ｌ３は、数値実施例３において第２４レンズ面〜第２９レンズ面に対応し、物体側から順に正レンズ、負レンズ、正レンズで構成されている。第４レンズ群Ｌ４は、数値実施例３において第３０レンズ面〜第３４レンズ面に対応し、物体側から順に正レンズ、負レンズと正レンズから成る接合レンズで構成されている。第５レンズ群Ｌ５は、数値実施例３において第３５レンズ面〜第５２レンズ面に対応し、物体側から順に負レンズと正レンズから成る接合レンズ、負レンズ、正レンズ、負レンズ、接合負レンズ、接合正レンズ、正レンズにて構成されている。非球面は第２７面に用いられており、広角側の球面収差のズーム変動と、コマ収差の画角変動を抑制している。非球面は第２７レンズ面に用いられている。
【００５８】
本実施例の各条件式対応値を表１に示す。本数値実施例はいずれの条件式も満足しており、良好な光学性能を達成している。加えて、ズーム比１０倍と高変倍比であり、焦点距離と半画角の積で求まる最大像高が１５．５５ｍｍと、大判センサに対応している。
【実施例４】
【００５９】
実施例４としての数値実施例４における第１群から第４群について説明する。第１レンズ群Ｌ１は、数値実施例４において第１レンズ面〜第８レンズ面に対応するＬ１１と、第９レンズ面〜第１２レンズ面に対応するＬ１２のサブユニットで構成されている。正のＬ１１群は物体側から順に正レンズ、負レンズ、正レンズ、負レンズにて構成されている。正のＬ１２群は２枚の正レンズにて構成されており、第１２レンズ群を光軸方向に移動させることでフォーカス調整を行う。第２レンズ群Ｌ２は、数値実施例４において第１３レンズ面〜第２１レンズ面に対応し、物体側から順に、負レンズ、負レンズと正レンズから成る接合正レンズ、負レンズと正レンズで構成されている。第３レンズ群Ｌ３は、数値実施例４において第２２レンズ面〜第２４レンズ面に対応し、物体側から順に負レンズと正レンズから成る接合負レンズで構成されている。第４レンズ群Ｌ４は、数値実施例４において第２５レンズ面〜第２８レンズ面に対応するＬ４１と、第３０レンズ面〜第４５レンズ面に対応するＬ４２のサブユニットで構成されている。Ｌ４１は、２枚のレンズで構成されている。Ｌ４２は、物体側から順に接合負レンズ、正レンズ、接合負レンズ、正レンズ、接合正レンズ、接合負レンズで構成される。非球面は第１３レンズ面と第２６レンズ面に用いられている。第１３レンズ面の非球面は像面湾曲のズームによる変動や望遠側の球面収差の変動を補正している。第２６レンズ面の非球面は、広角側の球面収差のズーム変動と、コマ収差の画角変動を抑制している。
【実施例５】
【００６０】
実施例５としての数値実施例５における第１群から第４群について説明する。第１レンズ群Ｌ１は、数値実施例５において第１レンズ面〜第６レンズ面に対応するＬ１１と、第７レンズ面〜第１１レンズ面に対応するＬ１２と、第１２レンズ面〜第１４レンズ面に対応するＬ１３のサブユニットで構成されている。正のＬ１１群は物体側から順に正レンズ、負レンズ、正レンズにて構成されている。正のＬ１２群は正レンズと、正レンズと負レンズから成る接合レンズにて構成されている。負のＬ１３群は、正レンズと負レンズから成る接合レンズで構成されている。Ｌ１３群を光軸方向に移動させることでフォーカス調整を行う。第２レンズ群Ｌ２は、数値実施例５において第１５レンズ面〜第２２レンズ面に対応し、物体側から順に、負レンズ、負レンズと正レンズから成る接合レンズ、負レンズと正レンズから成る接合レンズで構成されている。第３レンズ群Ｌ３は、数値実施例５において第２３レンズ面〜第２５レンズ面に対応し、物体側から順に負レンズと正レンズから成る接合負レンズで構成されている。第４レンズ群Ｌ４は、数値実施例５において第２７レンズ面〜第４６レンズ面に対応する。物体側から順に２枚の正レンズ、接合レンズ、正レンズ、接合レンズ、正レンズ、２つの接合レンズにて構成されている。非球面は第１５レンズ面に用いられている。第１５レンズ面の非球面は像面湾曲のズームによる変動や望遠側の球面収差の変動を補正している。
【００６１】
本実施例の各条件式対応値を表１に示す。本数値実施例はいずれの条件式も満足しており、良好な光学性能を達成している。加えて、ズーム比２０倍と、高変倍比であり、焦点距離と半画角の積で求まる最大像高が１４．８ｍｍと、大判センサにも対応している。
【実施例６】
【００６２】
実施例６としての数値実施例６における第１群から第４群について説明する。第１レンズ群Ｌ１は、数値実施例６において第１レンズ面〜第８レンズ面に対応するＬ１１と、第９レンズ面〜第１２レンズ面に対応するＬ１２のサブユニットで構成されている。正のＬ１１群は物体側から順に正レンズ、負レンズ、正レンズ、負レンズにて構成されている。正のＬ１２群は２枚の正レンズにて構成されており、第１２レンズ群を光軸方向に移動させることでフォーカス調整を行う。第２レンズ群Ｌ２は、数値実施例６において第１３レンズ面〜第２１レンズ面に対応し、物体側から順に、負レンズ、負レンズと正レンズから成る接合正レンズ、負レンズと正レンズで構成されている。第３レンズ群Ｌ３は、数値実施例６において第２２レンズ面〜第２４レンズ面に対応し、物体側から順に負レンズと正レンズから成る接合負レンズで構成されている。第４レンズ群Ｌ４は、数値実施例６において第２５レンズ面〜第２８レンズ面に対応するＬ４１と、第３０レンズ面〜第４６レンズ面に対応するＬ４２のサブユニットで構成されている。Ｌ４１は、２枚のレンズで構成されている。Ｌ４２は、物体側から順に接合負レンズ、正レンズ、接合負レンズ、正レンズ、接合正レンズ、負レンズ、正レンズで構成される。非球面は第１３面と第２６面に用いられている。第１３面の非球面は像面湾曲のズームによる変動や望遠側の球面収差の変動を補正している。第２６面の非球面は、広角側の球面収差のズーム変動と、コマ収差の画角変動を抑制している。
【００６３】
本実施例の各条件式対応値を表１に示す。本数値実施例はいずれの条件式も満足しており、良好な光学性能を達成している。加えて、ズーム比１８倍と、高変倍比であり、焦点距離と半画角の積で求まる最大像高が１５．９ｍｍと、大判センサにも対応している。
【００６４】
次に、上述した各ズームレンズを撮像光学系として用いた撮像装置について説明する。図１３は各実施例のズームレンズを撮影光学系として用いた撮像装置（テレビカメラシステム）の要部概略図である。図１３において１０１は実施例１〜６のいずれか１つのズームレンズである。
【００６５】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、ズーミングに際して移動する変倍部１１５、結像用のレンズ群１１６を有している。ＳＰは開口絞りである。ズーミングのためには移動しないレンズ群１１６は、光路中より挿抜可能な変倍光学系ＩＥを有している。
【００６６】
変倍部１１５には、光軸方向に駆動される為の駆動機構が備わっている。１１７、１１８は変倍部１１５及び開口絞りＳＰを電動駆動するモータ等の駆動手段である。尚、駆動機構を追加することでレンズ群１１４、１１５、１１６の全体、もしくは各レンズ群の一部は光軸方向に移動することによりフォーカシングを行うこともできる。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＬである。このように本発明のズームレンズをテレビカメラに適用することにより、高い光学性能を有する撮像装置を実現している。
【００６７】
以上、本発明の好ましい実施形態について説明したが、本発明はこれらの実施形態に限定されず、その要旨の範囲内で種々の変形及び変更が可能である。
【００６８】
次に本発明の実施例１〜６に対応する数値実施例１〜６を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉおよびθｇＦｉは第ｉ番目の光学部材の屈折率とアッベ数および、部分分散比である。焦点距離、Ｆナンバー、画角は、それぞれ無限遠物体に焦点を合わせたときの値を表している。ＢＦはレンズの最終面から像面までの距離を空気換算した値である。末尾に*Ｌｒｎ１と記載のあるレンズがＬｒｎ１に該当するレンズである。
【００６９】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
X＝(y2/r)／{1＋(1−k×y2/r2)0.5}＋A4×y4＋A6×y6+A8×y8＋A10×y10＋A12×y12
【００７０】
各実施例と前述した各条件式との対応を表１に示す。
【００７１】
（数値実施例１）
単位 mm
面番号      r         d        nd      νd     θgF   有効径    焦点距離
1      167.44394  16.69659  1.487490  70.23   0.5300  128.571   320.606
2    -2391.56563   1.00000  1.000000                  127.764
3      161.47873   3.40000  1.729157  54.68   0.5444  121.809  -416.496
4      104.64242   5.81162  1.000000                  116.411
5      117.88967  22.62538  1.433870  95.10   0.5373  116.095   211.164
6     -391.60210   1.50010  1.000000                  114.868
7     -307.05654   3.20000  1.729157  54.68   0.5444  114.617  -164.445
8      199.01437  16.83102  1.000000                  110.818
9      150.78054  17.56513  1.433870  95.10   0.5373  111.229   253.429
10     -395.42141   0.20000  1.000000                  110.550
11      152.54264   7.27275  1.433870  95.10   0.5373  104.480   868.100
12      252.24170    (可変)  1.000000                  102.692
13*    2295.64046   1.20000  1.772499  49.60   0.5521   31.745   -38.698
14       29.64296   5.83845  1.000000                   28.906
15     -187.25197   1.00000  1.618000  63.33   0.5441   28.566   -43.751
16       31.80543   7.19712  1.720467  34.70   0.5834   28.192    32.556
17      -82.98689   3.15416  1.000000                   28.138
18      -36.10603   1.00000  1.618000  63.33   0.5441   28.021   -51.061
19      260.78998   0.20000  1.000000                   29.165
20       76.99555   3.35446  1.548141  45.79   0.5685   29.818   132.454
21    -1377.60223    (可変)  1.000000                   30.144
22      -71.78747   1.00000  1.729157  54.68   0.5444   37.780   -68.259
23      165.58726   3.37974  1.846660  23.78   0.6205   39.405   170.317
24    -1196.82852    (可変)  1.000000                   40.026
25       79.36430   8.21267  1.593490  67.00   0.5361   44.626    67.963
26*     -79.42798   1.00000  1.000000                   44.832
27       50.71519   8.64738  1.595220  67.74   0.5442   43.653    63.449
28     -140.40648   3.00000  1.000000                   42.763
29(絞り)  0.00000   3.00000  1.000000                   38.257   
30     -141.89558   4.69597  1.438750  94.93   0.5343   36.487   147.217
31      -44.91276   1.20000  2.003300  28.27   0.5980   35.270   -29.573
32       90.82484   3.65553  1.000000                   34.565
33       43.43798   9.32967  1.567322  42.80   0.5730   35.577    46.947
34      -64.39554   4.51198  1.000000                   34.912
35     -390.35997   1.20000  2.001000  29.13   0.5997   30.082   -18.472
36       19.60515   8.60171  1.846660  23.78   0.6205   27.864    23.775
37      439.71049  47.72897  1.000000                   27.338
38       48.66936   3.46503  1.487490  70.23   0.5300   21.900    85.140
39     -281.83788   2.99930  1.000000                   21.662
40      -29.21073   1.00000  1.882997  40.76   0.5667   21.409   -16.261
41       29.02380   8.12846  1.717362  29.50   0.6048   22.778    23.868
42      -37.57145   4.17658  1.000000                   24.194
43      -25.14632   1.00000  1.959060  17.47   0.6599   24.658   -45.180  *Lrn1
44      -60.00000   6.39192  1.805181  25.42   0.6161   26.354    45.784
45      -24.06214    (ＢＦ)  1.000000                   28.380
非球面データ
第13面
K = 9.53097e+003  A 4= 2.13625e-006  A 6= 2.35842e-011  A 8= 1.78076e-012  A10=-1.18626e-013  A12= 9.20951e-016  A14=-2.97982e-018  A16= 3.62745e-021  
第26面
K =-8.66996e-001  A 4= 6.94481e-007  A 6= 2.21641e-010  A 8=-8.94793e-013  A10= 2.80403e-015  A12=-2.73146e-018  A14=-1.11047e-021  A16= 2.79422e-024  
各種データ
ズーム比     18.00 
広角     中間     望遠
焦点距離      50.00   500.00   900.00  
Fナンバー      4.50     4.50     7.00  
半画角        17.59     1.82     1.01  
像高          15.85    15.85    15.85  
レンズ全長   459.63   459.63   459.63  
BF            54.45    54.45    54.45  
d12           10.00   126.09   137.43  
d21          134.83     3.41    10.89  
d24            4.97    20.30     1.48  
入射瞳位置   173.71  1408.01  2213.08  
射出瞳位置  -155.02  -155.02  -155.02  
前側主点位置 211.77   714.52  -753.81  
後側主点位置   4.45  -445.55  -845.55  
ズームレンズ群データ
群  始面    焦点距離  レンズ構成長  前側主点位置  後側主点位置
1    1     225.00        96.10        36.20        -45.03
2   13     -33.00        22.94         2.68        -13.88
3   22    -114.61         4.38        -0.25         -2.65
4   25      63.62       131.95        11.07       -161.85
【００７２】
（数値実施例２）
面番号      r         d        nd      νd    θgF    有効径   焦点距離
1      272.82528  17.07189  1.433870  95.10   0.5373  141.566   413.887
2     -519.21540   0.70000  1.000000                  141.021            
3      274.50255  17.99082  1.433870  95.10   0.5373  135.633   356.326
4     -348.90472   1.00394  1.000000                  134.388            
5     -343.17738   4.00000  1.720467  34.70   0.5834  133.559  -322.961
6      741.83410  20.20032  1.000000                  129.877            
7      267.51916  10.77461  1.433870  95.10   0.5373  121.427   566.463
8    -3081.31909   0.20000  1.000000                  120.199            
9      192.82253  11.47480  1.438750  94.93   0.5343  114.681   448.540
10     8356.13805   2.50000  1.720467  34.70   0.5834  112.935 -1428.832
11      921.96658   2.94687  1.000000                  110.980            
12     1979.81742   7.58160  1.761821  26.52   0.6135  109.380   458.946
13     -428.50021   2.20000  1.618000  63.33   0.5441  107.840  -259.431
14      258.23411    (可変)  1.000000                  102.255            
15*    -391.62593   1.80000  1.816000  46.62   0.5568   50.370   -71.935
16       69.60675   7.24201  1.000000                   46.594            
17     2944.28669   9.40860  1.720467  34.70   0.5834   45.034    57.215
18      -42.03960   1.50000  1.595220  67.74   0.5442   44.198   -70.364
19   179161.25449   1.50000  1.000000                   40.970            
20     -155.99378   1.50000  1.595220  67.74   0.5442   40.864   -76.593
21       64.96898   0.10000  1.000000                   39.079            
22       52.10475   5.18184  1.720467  34.70   0.5834   38.978    80.254
23      475.67679   3.90750  1.000000                   38.266            
24      -61.79814   1.40000  1.595220  67.74   0.5442   37.915   -65.991
25      109.76477    (可変)  1.000000                   37.163            
26      106.27334   7.94842  1.618000  63.33   0.5441   47.252    75.337
27      -81.02652   0.04492  1.000000                   47.302            
28      -84.32407   1.50000  1.834000  37.16   0.5775   47.232   -90.626
29*     782.89559   0.20000  1.000000                   47.688            
30       97.05428   6.71215  1.496999  81.54   0.5374   48.384   133.735
31     -207.97073    (可変)  1.000000                   48.369            
32*      94.03572   7.03257  1.487490  70.23   0.5300   47.567   106.365
33     -113.60659   0.20000  1.000000                   47.164            
34      348.44336   1.50000  1.720467  34.70   0.5834   45.220  -128.784
35       73.53437   0.20000  1.000000                   43.670            
36       71.73173   5.53351  1.496999  81.54   0.5374   43.612   127.836
37     -555.89638    (可変)  1.000000                   43.011            
38(絞り)  0.00000   4.42388  1.000000                   31.361            
39      227.91443   1.40000  1.882997  40.76   0.5667   28.543   -53.086
40       38.95368   0.50000  1.000000                   27.311            
41       37.49735   5.63362  1.805181  25.42   0.6161   27.296    33.573
42      -93.41171   0.50000  1.000000                   26.539            
43      -87.80748   1.50000  1.910820  35.25   0.5824   26.064   -35.753
44       52.74342  33.00000  1.000000                   24.824            
45      158.72918   5.15830  1.496999  81.54   0.5374   24.854    77.846
46      -50.80215   4.18171  1.000000                   24.974            
47      -92.90888   1.50000  1.882997  40.76   0.5667   23.990   -26.521
48       31.79377   6.08428  1.603420  38.03   0.5835   24.077    43.217
49     -139.36936   0.50000  1.000000                   24.611            
50      251.80189   3.88216  1.846660  23.78   0.6205   24.832   109.662
51     -148.33615   1.50000  2.102050  16.77   0.6721   24.960  -163.647  *Lrn1
52     -789.97540    (ＢＦ)  1.000000                   25.071           
非球面データ
第15面
K =-5.04250e+001  A 4= 1.14678e-007  A 6= 1.32623e-011  A 8= 7.90849e-014  A10=-2.23909e-016  A12= 4.98827e-020  
第29面
K = 7.91285e+002  A 4= 2.14195e-007  A 6=-1.17812e-010  A 8=-2.37195e-013  A10= 8.76890e-016  A12=-1.32567e-018  
第32面
K =-3.37473e+000  A 4=-4.15778e-007  A 6=-5.64958e-010  A 8= 1.67442e-012  A10=-2.28456e-015  A12= 1.15323e-018  
各種データ
ズーム比     25.00 
広角     中間     望遠
焦点距離      50.00   500.00  1250.00  
Fナンバー      4.50     4.50     9.00  
半画角        16.17     1.66     0.66  
像高          14.50    14.50    14.50  
レンズ全長   497.77   497.77   497.77  
BF            70.00    70.00    70.00  
d14            5.00   120.14   136.66  
d25          171.01    52.49     3.00  
d31           17.20     3.27    50.56  
d37            1.74    19.06     4.74  
入射瞳位置   203.45  1866.90  5171.56  
射出瞳位置   -60.75   -60.75   -60.75  
前側主点位置 234.33   454.86 -5528.65  
後側主点位置  20.00  -430.00 -1180.00  
ズームレンズ群データ
群  始面    焦点距離  レンズ構成長  前側主点位置  後側主点位置
1    1     255.31        98.64         6.55        -65.77
2   15     -32.99        33.54        11.37        -10.13
3   26     102.26        16.41         3.86         -6.80
4   32     105.81        14.47         2.52         -7.26
5   38     -82.53        69.76         4.87        -56.15
【００７３】
（数値実施例３）
単位 mm
面番号      r         d        nd      νd     θgF    有効径   焦点距離
1      406.47878  12.28861  1.433870  95.10   0.5373  100.000   308.484
2     -198.46029   0.34154  1.000000                   99.788           
3     -194.28909   2.50000  2.001000  29.13   0.5997   99.715  -481.597
4     -325.78889   8.56027  1.000000                  100.231          
5      228.52906  10.75537  1.433870  95.10   0.5373   98.232   340.623
6     -415.26134   0.20000  1.000000                   97.698          
7      142.21165  12.21295  1.438750  94.93   0.5343   93.156   261.116
8     -581.34773   2.40000  1.834000  37.16   0.5775   91.883  -664.564
9    13786.83743   1.00000  1.000000                   90.389          
10      649.59069   6.97574  1.800000  29.84   0.6017   88.779   274.774
11     -334.63068   2.30000  1.772499  49.60   0.5521   87.707  -183.599
12      248.96997    (可変)  1.000000                   83.949          
13     -176.57144   1.20000  1.816000  46.62   0.5568   38.189   -49.181
14       52.44003   5.46088  1.000000                   35.856          
15      -77.53595   1.20000  1.496999  81.54   0.5374   35.815  -138.930
16      651.37425   0.10000  1.000000                   35.911          
17       96.94892   6.78477  1.720467  34.70   0.5834   36.015    44.434
18      -46.86382   1.20000  1.496999  81.54   0.5374   35.832   -59.561
19       81.69754   0.10000  1.000000                   34.058          
20       54.74915   2.19243  1.720467  34.70   0.5834   33.865   287.716
21       72.96934   3.97129  1.000000                   33.317          
22      -76.14663   1.20000  1.496999  81.54   0.5374   33.250  -113.412
23      220.59591    (可変)  1.000000                   33.653         
24      272.41520   5.26800  1.516330  64.14   0.5352   38.839   100.505
25      -63.97552   0.30574  1.000000                   39.127          
26      -61.94578   1.00000  1.720467  34.70   0.5834   39.119  -105.105
27*    -332.60285   0.20000  1.000000                   40.040          
28      155.71348   6.24851  1.438750  94.93   0.5343   40.813   115.955
29      -74.91632    (可変)  1.000000                   41.162          
30       73.79566   5.86860  1.438750  94.93   0.5343   41.149   127.104
31     -225.03431   0.20000  1.000000                   40.793          
32       56.75811   1.00000  1.720467  34.70   0.5834   39.222   -94.933
33       30.88313   7.76164  1.516330  64.14   0.5352   37.322    65.004
34      339.04349    (可変)  1.000000                   36.572          
35(絞り)  0.00000   2.53478  1.000000                   27.168          
36     -148.62489   1.00000  1.882997  40.76   0.5667   26.136   -34.073
37       38.11916   5.40036  1.728250  28.46   0.6077   25.439    36.901
38      -88.08198   1.50000  1.000000                   25.116          
39    -1083.58790   1.20000  1.834807  42.73   0.5648   24.013   -89.920
40       81.17695   0.50000  1.000000                   23.500          
41       26.98567   3.50000  1.717362  29.50   0.6048   23.056    90.708
42       43.35382   4.21362  1.000000                   21.895          
43       56.98534   1.30000  1.882997  40.76   0.5667   20.633   -73.386
44       30.07709  16.94298  1.000000                   20.129          
45       33.57792   3.47509  1.438750  94.93   0.5343   23.117    91.084
46      200.86452   1.00000  1.834807  42.73   0.5648   22.933   -41.478
47       29.60714  10.00000  1.000000                   22.620          
48      117.95528   1.00000  1.808095  22.76   0.6307   27.256   -49.074  *Lrn1
49       29.79331   8.00000  1.739998  28.30   0.6078   27.922    43.692
50      306.18726   7.24615  1.000000                   29.065          
51       48.17819   6.12129  1.516330  64.14   0.5352   34.000    70.260
52     -142.62868    (ＢＦ)  1.000000                   34.088          
非球面データ
第27面
K = 1.41981e+002  A 4= 8.95585e-007  A 6= 5.44963e-010  A 8=-6.93086e-013  A10= 2.14094e-015  A12=-9.49646e-019  
各種データ
ズーム比     10.00 
広角     中間     望遠
焦点距離      50.00    99.70   500.00  
Fナンバー      4.00     4.00     5.00  
半画角        17.28     8.86     1.78  
像高          15.55    15.55    15.55  
レンズ全長   381.24   381.24   381.24  
BF            50.03    50.03    50.03  
d12            3.44    47.19   112.80  
d23          100.00    60.95     1.66  
d29           39.54    25.39    11.84  
d34            2.49    11.95    19.17  
入射瞳位置   115.88   261.72  1314.02  
射出瞳位置  -140.35  -140.35  -140.35  
前側主点位置 152.75   309.21   500.88  
後側主点位置   0.03   -49.67  -449.97  
ズームレンズ群データ
群  始面    焦点距離  レンズ構成長  前側主点位置  後側主点位置
1    1     205.00        59.53         9.48        -31.61
2   13     -34.50        23.41         4.95        -11.28
3   24     110.50        13.02         6.46         -2.56
4   30      80.00        14.83         1.23         -8.68
5   35    -669.42        74.93      -291.44       -656.50
【００７４】
（数値実施例４）
単位 mm
面番号      r         d        nd      νd     θgF   有効径   焦点距離
1      168.17152  16.79129  1.487490  70.23   0.5300  128.571   318.275
2    -2027.74956   1.00000  1.000000                  127.768          
3      161.25029   3.40000  1.729157  54.68   0.5444   21.704  -419.290
4      104.78570   5.73864  1.000000                  116.320          
5      117.63255  22.65980  1.433870  95.10   0.5373  115.983   210.243
6     -386.82440   1.50000  1.000000                  114.749    
7     -306.41329   3.20000  1.729157  54.68   0.5444  114.458  -162.717
8      195.85783  16.91749  1.000000                  110.563          
9      151.52542  17.60916  1.433870  95.10   0.5373  110.936   253.550
10     -390.92250   0.20000  1.000000                  110.230          
11      144.45426   6.74312  1.433870  95.10   0.5373  103.945   867.749
12      230.70811    (可変)  1.000000                  102.395          
13*  -61445.90829   1.20000  1.772499  49.60   0.5521   31.641   -38.466
14       29.87274   5.79166  1.000000                   28.842          
15     -179.50273   1.00000  1.618000  63.33   0.5441   28.516   -43.497
16       31.82389   7.23979  1.720467  34.70   0.5834   28.173    32.279
17      -80.13943   3.07785  1.000000                   28.187          
18      -36.54541   1.00000  1.618000  63.33   0.5441   28.068   -52.256
19      289.89472   0.20000  1.000000                   29.176          
20       75.96714   2.97040  1.548141  45.79   0.5685   29.841   141.151
21     3228.06212    (可変)  1.000000                   30.098          
22      -72.55380   1.00000  1.729157  54.68   0.5444   37.866   -68.793
23      165.80530   3.37707  1.846660  23.78   0.6205   39.477   171.404
24    -1250.63076    (可変)  1.000000                   40.094          
25       79.33529   8.19359  1.593490  67.00   0.5361   44.670    68.297
26*     -80.26509   1.00000  1.000000                   44.873          
27       51.55331   8.57225  1.595220  67.74   0.5442   43.700    64.179
28     -140.21768   3.00000  1.000000                   42.825          
29(絞り)  0.00000   3.00000  1.000000                   38.364          
30     -142.11332   4.76757  1.438750  94.93   0.5343   36.620   146.427
31      -44.77462   1.20000  2.003300  28.27   0.5980   35.396   -29.204
32       88.03518   3.38000  1.000000                   34.719          
33       43.52369   9.39948  1.567322  42.80   0.5730   35.831    47.019
34      -64.41710   4.56178  1.000000                   35.214          
35     -388.52623   1.20000  2.001000  29.13   0.5997   30.486   -18.820
36       19.99814   9.24405  1.846660  23.78   0.6205   28.326    23.896
37      741.61470  47.48669  1.000000                   27.753          
38       49.57313   3.43801  1.487490  70.23   0.5300   21.934    86.702
39     -286.82028   3.00000  1.000000                   21.697          
40      -32.72213   1.00000  1.882997  40.76   0.5667   21.395   -17.136
41       28.86193   7.77589  1.717362  29.50   0.6048   22.471    24.634
42      -41.26782   4.25931  1.000000                   23.682          
43      -25.23172   1.00000  1.922860  18.90   0.6495   24.053   -47.262  *Lrn1
44      -60.00000   6.51963  1.755199  27.51   0.6103   25.577    49.857
45      -24.34832   (ＢＦ)   1.000000                   27.670          
非球面データ
第13面
K =-3.48919e+007  A 4= 2.17488e-006  A 6= 3.54954e-011  A 8= 2.85487e-012  A10=-1.19682e-013  A12= 9.06744e-016  A14=-2.93122e-018  A16= 3.59320e-021  
第26面
K =-8.31103e-001  A 4= 6.85381e-007  A 6= 2.10481e-010  A 8=-9.00798e-013  A10= 2.80534e-015  A12=-2.73219e-018  A14=-1.12925e-021  A16= 2.81156e-024  
各種データ
ズーム比     18.00 
広角     中間     望遠
焦点距離      50.00   500.00   900.00  
Fナンバー      4.50     4.50     7.00  
半画角        17.59     1.82     1.01  
像高          15.85    15.85    15.85  
レンズ全長   460.00   460.00   460.00  
BF            55.00    55.00    55.00  
d12           10.00   126.17   137.50  
d21          135.42     3.73    11.39  
d24            4.97    20.48     1.50  
入射瞳位置   173.35  1408.49  2214.03  
射出瞳位置  -139.41  -139.41  -139.41  
前側主点位置 210.49   622.53 -1052.50  
後側主点位置   5.00  -445.00  -845.00  
ズームレンズ群データ
群  始面    焦点距離  レンズ構成長  前側主点位置  後側主点位置
1    1     225.00        95.76        36.05        -45.00
2   13     -33.00        22.48         2.63        -13.59
3   22    -115.61         4.38        -0.24         -2.64
4   25      60.37       132.00         6.15       -149.71
【００７５】
（数値実施例５）
面番号      r         d        nd      νd     θgF   有効径   焦点距離
1      173.09677  17.19123  1.433870  95.10   0.5373  142.857   433.111
2     2068.61703   0.20000  1.000000                  142.054   
3      178.37783   5.00000  1.654115  39.70   0.5737  137.486  -882.481
4      134.94202   2.65879  1.000000                  132.782     
5      154.39674  14.72328  1.433870  95.10   0.5373  132.747   437.323
6      796.17585  16.96519  1.000000                  131.743     
7      325.78028   7.55886  1.433870  95.10   0.5373  121.692   772.440
8    10655.46140   0.20000  1.000000                  120.450    
9      197.67721  13.58096  1.438750  94.93   0.5343  114.517   343.828
10     -630.19108   5.00000  1.834000  37.16   0.5775  112.792  -536.012
11     1578.12385   3.00000  1.000000                  108.834    
12    -4824.61806   6.01458  1.808095  22.76   0.6307  107.347   442.254
13     -336.11859   5.00000  1.737999  32.26   0.5899  106.463  -241.676
14      388.43363    (可変)  1.000000                  100.693    
15*     171.18315   1.20000  1.772499  49.60   0.5521   40.175   -58.428
16       35.74372   5.81769  1.000000                   36.306    
17     1220.06047   1.00000  1.618000  63.33   0.5441   35.755   -48.930
18       29.60664   8.08793  1.720467  34.70   0.5834   33.642    42.738
19      582.39152   4.47557  1.000000                   32.403    
20      -34.42943   1.00000  1.496999  81.54   0.5374   32.238   -54.498
21      129.98076   2.53906  1.720467  34.70   0.5834   32.008   170.598
22    -2559.87336    (可変)  1.000000                   31.910    
23      -77.96339   1.00000  1.754998  52.32   0.5476   30.067   -63.360
24      125.95540   2.50617  1.854780  24.80   0.6121   30.978   141.962
25    -4422.77254    (可変)  1.000000                   31.338    
26(絞り)  0.00000    (可変)  1.000000                   39.838    
27      138.47897   5.73050  1.589130  61.14   0.5406   41.136    99.087
28     -100.03548   0.20000  1.000000                   41.452    
29      101.56964   6.91085  1.487490  70.23   0.5300   41.452    91.887
30      -78.82238   0.20000  1.000000                   41.174    
31       62.40640   9.55685  1.438750  94.93   0.5343   38.231    65.553
32      -51.08972   1.20000  1.882997  40.76   0.5667   36.510   -31.628
33       63.08850   0.20000  1.000000                   35.092    
34       32.64597   6.28516  1.589130  61.14   0.5406   35.485    67.626
35      164.93864  18.61837  1.000000                   34.734    
36    -1766.20608   1.20000  2.001000  29.13   0.5997   26.634   -19.793
37       20.20907   6.79907  1.805181  25.42   0.6161   25.921    24.585
38    -1486.97393  50.00000  1.000000                   26.014    
39      134.29451   3.32714  1.516330  64.14   0.5352   29.513   159.186
40     -212.08959   3.00000  1.000000                   29.452    
41      487.64832   7.01423  1.728250  28.46   0.6077   29.010    31.735
42      -24.32290   1.00000  1.882997  40.76   0.5667   28.817   -28.987
43     -449.05111   6.50329  1.000000                   29.010    
44      -27.14461   1.00000  1.959060  17.47   0.6599   29.034   -56.615  *Lrn1
45      -54.54720   4.85501  1.805181  25.42   0.6161   30.826    60.651
46      -26.92517   (ＢＦ)   1.000000                   31.929    
非球面データ
第15面
K = 4.62445e+000  A 4= 1.02225e-006  A 6= 1.07712e-010  A 8=-1.23696e-012  A10= 1.27284e-014  A12=-4.13160e-017  A14= 7.08727e-020  A16=-4.66537e-023  
各種データ
ズーム比     20.00 
広角     中間     望遠
焦点距離      50.00   500.00  1000.00  
Fナンバー      4.50     4.50     7.00  
半画角        16.49     1.70     0.85  
像高          14.80    14.80    14.80  
レンズ全長   455.49   455.49   455.49  
BF            52.00    52.00    52.00  
d14            1.00   111.36   123.12  
d22          123.57     2.60    19.59  
d25           19.20    29.81     1.06  
入射瞳位置   190.31  1566.42  2467.29  
射出瞳位置  -172.68  -172.68  -172.68  
前側主点位置 229.19   953.73  -983.50  
後側主点位置   2.00  -448.00  -948.00  
ズームレンズ群データ
群  始面    焦点距離  レンズ構成長  前側主点位置  後側主点位置
1    1     240.00        97.09        -5.50        -72.14
2   15     -34.10        24.12         6.86        -10.02
3   23    -115.00         3.51        -0.10         -2.01
4   26      69.81       135.00        14.68       -154.09
【００７６】
（数値実施例６）
面番号      r         d        nd      νd     θgF    有効径   焦点距離
1      168.12614  16.76377  1.487490  70.23   0.5300  128.571   318.920
2    -2091.86807   1.00000  1.000000                  127.767
3      160.79591   3.40000  1.729157  54.68   0.5444  121.714  -422.245
4      104.84141   5.77002  1.000000                  116.348
5      117.90742  22.60059  1.433870  95.10   0.5373  116.007   210.895
6     -389.17455   1.50000  1.000000                  114.772
7     -306.38566   3.20000  1.729157  54.68   0.5444  114.504  -162.146
8      194.74715  16.92373  1.000000                  110.604
9      150.79126  18.11204  1.433870  95.10   0.5373   11.052   251.833
10     -385.80019   0.20000  1.000000                   10.267
11      147.11699   6.74029  1.433870  95.10   0.5373   04.029   868.168
12      237.66696    (可変)  1.000000                   02.487
13*   -3263.15805   1.20000  1.772499  49.60   0.5521   31.396   -39.163
14       30.68975   5.66651  1.000000                   28.701
15     -170.60120   1.00000  1.618000  63.33   0.5441   28.353   -43.166
16       31.83400   7.14433  1.720467  34.70   0.5834   27.983    32.453
17      -81.83674   3.07345  1.000000                   27.626
18      -36.09544   1.00000  1.618000  63.33   0.5441   27.185   -49.966
19      221.67586   0.20000  1.000000                   28.287
20       82.48216   3.02161  1.548141  45.79   0.5685   28.826   127.629
21     -470.77061    (可変)  1.000000                   29.131
22      -71.38988   1.00000  1.729157  54.68   0.5444   37.644   -67.436
23      161.17426   3.38892  1.846660  23.78   0.6205   39.279   168.322
24    -1331.54098    (可変)  1.000000                   39.900
25       79.58805   8.40792  1.593490  67.00   0.5361   44.477    65.727
26*     -74.00677   1.00000  1.000000                   44.689
27       51.42027   8.46382  1.595220  67.74   0.5442   43.289    63.987
28     -139.72405   3.00000  1.000000                   42.389
29(絞り)  0.00000   3.00000  1.000000                   37.849
30     -121.77540   4.96980  1.438750  94.93   0.5343   36.232   156.629
31      -44.54922   1.20000  2.003300  28.27   0.5980   34.760   -28.555
32       83.29495   2.38719  1.000000                   34.078
33       43.57564   8.20549  1.567322  42.80   0.5730   34.998    46.939
34      -64.70874   4.23524  1.000000                   34.598
35     -360.69422   1.20000  2.001000  29.13   0.5997   30.457   -19.858
36       21.25323   8.99968  1.846660  23.78   0.6205   28.552    24.893
37    11639.63044  50.00000  1.000000                   28.016
38       66.26537   2.72599  1.487490  70.23   0.5300   21.479   163.228
39      384.41465   3.20471  1.000000                   21.310
40      -29.80871   1.00000  1.882997  40.76   0.5667   21.200   -24.698
41       84.35944   5.62751  1.717362  29.50   0.6048   22.310    46.449
42      -54.24447   2.36812  1.000000                   23.595
43      -98.21170   1.00000  1.959060  17.47   0.6599   24.454   -49.031  *Lrn1
44       93.02995   3.00000  1.000000                   25.170
45      135.54853   8.69930  1.805181  25.42   0.6161   27.734    38.292
46      -39.22808   (ＢＦ)   1.000000                   29.561
非球面データ
第13面
K =-1.47298e+004  A 4= 2.06990e-006  A 6= 1.37511e-010  A 8= 2.66079e-012  A10=-1.27210e-013  A12= 9.21984e-016  A14=-2.74030e-018  A16= 3.05848e-021  
第26面
K =-7.89368e-001  A 4= 6.71375e-007  A 6= 1.90626e-010  A 8=-8.63493e-013  A10= 2.80709e-015  A12=-2.82637e-018  A14=-1.26676e-021  A16= 3.01967e-024  
各種データ
ズーム比     18.00 
広角     中間     望遠
焦点距離      50.00   500.00   900.00  
Fナンバー      4.50     4.50     7.00  
半画角          17.59     1.82     1.01  
像高          15.85    15.85    15.85  
レンズ全長   460.00   460.00   460.00  
BF            55.00    55.00    55.00  
d12           10.00   126.09   137.49  
d21          134.47     3.15    10.41  
d24            4.93    20.16     1.50  
入射瞳位置   173.77  1398.03  2193.81  
射出瞳位置  -194.87  -194.87  -194.87  
前側主点位置 213.76   897.52  -147.82  
後側主点位置   5.00  -445.00  -845.00  
ズームレンズ群データ
群  始面    焦点距離  レンズ構成長  前側主点位置  後側主点位置
1    1     225.00        96.21        36.49        -45.00
2   13     -33.00        22.31         2.65        -13.48
3   22    -113.18         4.39        -0.22         -2.63
4   25      71.79       132.69        23.20       -190.10
【００７７】
【表１】
0006405150.tif 000002
【符号の説明】
【００７８】
Ｌ１    第１レンズ群
Ｌ２    第２レンズ群
Ｌ３    第３レンズ群
Ｌ４    第４レンズ群
Ｌ５    第５レンズ群
ＳＰ    絞り
Ｉ      像面
【図１】
0006405150.tif 000003
【図２】
0006405150.tif 000004
【図３】
0006405150.tif 000005
【図４】
0006405150.tif 000006
【図５】
0006405150.tif 000007
【図６】
0006405150.tif 000008
【図７】
0006405150.tif 000009
【図８】
0006405150.tif 000010
【図９】
0006405150.tif 000011
【図１０】
0006405150.tif 000012
【図１１】
0006405150.tif 000013
【図１２】
0006405150.tif 000014
【図１３】
0006405150.tif 000015
【図１４】
0006405150.tif 000016